(57)【要約】【課題】消化し易く、高栄養価を有するペット用おやつとその製造方法を提供する。【解決手段】米を加熱してポップライスとし、該ポップライスと、もち米粉と水とを混合して第１混合物（２０）を得ると共に、大豆たんぱく質と鶏胸肉のミンチとグリセリンとを混合してミートペースト（１０）を得るステップと、  前記ミートペースト（１０）を第１混合物（２０）の表面に塗布することにより半製品を得るステップと、  前記半製品を乾燥させ、ペット用おやつを得るステップと、を含むことを特徴とする。【選択図】図１
2010088391.tif 000002
【特許請求の範囲】
【請求項１】
米を加熱してポップライスとし、該ポップライスと、もち米粉と水とを混合して第１混合物（２０）を得ると共に、大豆たんぱく質と鶏胸肉のミンチとグリセリンとを混合してミートペースト（１０）を得るステップと、
前記ミートペースト（１０）を第１混合物（２０）の表面に塗布することにより半製品を得るステップと、
前記半製品を乾燥させ、ペット用おやつを得るステップと、
を含むことを特徴とするペット用おやつの製造方法。
【請求項２】
前記ポップライスと、もち米粉と、水を、重量比が５：０．１：３となるように混合することを特徴とする請求項１に記載のペット用おやつの製造方法。
【請求項３】
前記鶏胸肉のミンチと、グリセリンと、大豆たんぱく質を、重量比が１００：４：３となるように混合することを特徴とする請求項１に記載のペット用おやつの製造方法。
【請求項４】
前記第１混合物（２０）を得た後、該第１混合物（２０）に対し、更に成形加工を施すことを特徴とする請求項１乃至３に記載のペット用おやつの製造方法。
【請求項５】
請求項１乃至４の何れか１項に記載のペット用おやつの製造方法により製造されることを特徴とするペット用おやつ。
【請求項６】
ポップライスともち米粉と水とが混合されてなる第１混合物（２０）の層と、
大豆たんぱく質と鶏胸肉のミンチとグリセリンとが混合されてなり、前記第１混合物（２０）の表面に塗布されるミートペースト（１０）の層とを有することを特徴とするペット用おやつ。
【請求項７】
前記ポップライスと、もち米粉と、水を、重量比が５：０．１：３となるように混合してなることを特徴とする請求項６に記載のペット用おやつ。
【請求項８】
前記鶏胸肉のミンチと、グリセリンと、大豆たんぱく質を、重量比が１００：４：３となるように混合してなることを特徴とする請求項６または７に記載のペット用おやつ。
【発明の詳細な説明】
【技術分野】
【０００１】
本発明は、特にペットが消化、吸収し易いペット用おやつ及びその製造方法に関するものである。
【背景技術】
【０００２】
ペットは、一緒に生活をし、寂しい時に心の支えとなってくれる親愛なる友である。ペットの中でも犬は、人間に最も忠実な動物であり、古来より多くの人々が伴侶としていた。また、飼い主の多くは、ペット用飼料やおやつなどの栄養価を重要視し、ペットの健康には常に注意を払っている。
【０００３】
例えば、特許文献１に記載されるように、従来の犬用おやつの殆どは、容易に噛み砕けない牛皮などの材料を砕き、骨の形状に成形して製造されたものであり、このような従来の犬用おやつは、ペットの噛み欲及び食欲を刺激することができるので、ペットの歯を強化し、あごを発達させ、歯を清潔に維持する効果を有する。
【特許文献１】特許公開2005-000142（特許出願2003-170583）
【発明の開示】
【発明が解決しようとする課題】
【０００４】
しかしながら、前記従来の犬用おやつにおける牛皮など材料は、低栄養価であり、且つ消化もし難いので、犬などペットにとって、健康を促進できるものではなかった。
【０００５】
そこで、出願されたのが本発明であって、従来のペット用おやつの成分を改良することにより、その高い栄養価を持ち、吸収し易く、歯を強化でき、あごを発達させ、歯を清潔にすると共に、ペットの主食にもできるペット用おやつ及びその製造方法を提供することを目的としている。
【課題を解決するための手段】
【０００６】
本願の請求項１の発明は、米を加熱してポップライスとし、該ポップライスと、もち米粉と水とを混合して第１混合物（２０）を得ると共に、大豆たんぱく質と鶏胸肉のミンチとグリセリンとを混合してミートペースト（１０）を得るステップと、
前記ミートペースト（１０）を第１混合物（２０）の表面に塗布することにより半製品を得るステップと、
前記半製品を乾燥させ、ペット用おやつを得るステップと、
を含むことを特徴とするペット用おやつの製造方法、を提供する。
【０００７】
本願の請求項２の発明は、前記ポップライスと、もち米粉と、水を、重量比が５：０．１：３となるように混合することを特徴とする請求項１に記載のペット用おやつの製造方法、を提供する。
【０００８】
本願の請求項３の発明は、前記鶏胸肉のミンチと、グリセリンと、大豆たんぱく質を、重量比が１００：４：３となるように混合することを特徴とする請求項１に記載のペット用おやつの製造方法、を提供する。
【０００９】
本願の請求項４の発明は、前記第１混合物（２０）を得た後、該第１混合物（２０）に対し、更に成形加工を施すことを特徴とする請求項１乃至３に記載のペット用おやつの製造方法、を提供する。
【００１０】
本願の請求項５の発明は、請求項１乃至４の何れか１項に記載のペット用おやつの製造方法により製造されることを特徴とするペット用おやつ、を提供する。
【００１１】
本願の請求項６の発明は、ポップライスともち米粉と水とが混合されてなる第１混合物（２０）の層と、
大豆たんぱく質と鶏胸肉のミンチとグリセリンとが混合されてなり、前記第１混合物（２０）の表面に塗布されるミートペースト（１０）の層とを有することを特徴とするペット用おやつ、を提供する。
【００１２】
本願の請求項７の発明は、前記ポップライスと、もち米粉と、水を、重量比が５：０．１：３となるように混合してなることを特徴とする請求項６に記載のペット用おやつ、を提供する。
【００１３】
本願の請求項８の発明は、前記鶏胸肉のミンチと、グリセリンと、大豆たんぱく質を、重量比が１００：４：３となるように混合してなることを特徴とする請求項６または７に記載のペット用おやつ、を提供する。
【発明の効果】
【００１４】
本発明に係るペット用おやつは上記の課題を解決するものであり、犬の歯を強化し、清潔にし、あごを発達させることができるのみならず、美味で、高栄養価を有すると共に、吸収し易いものであるので、従来のペット用おやつの欠点を一挙に改善することができる。
【発明を実施するための最良の形態】
【００１５】
以下、添付図面を参照して本発明の好適な実施の形態を詳細に説明する。
【００１６】
図１は本発明に係るペット用おやつの製造方法を示すフローチャートであり、図２は本発明に係るペット用おやつの実施形態の斜視図であり、図３は本発明に係るペット用おやつの他の実施形態の斜視図であり、図４は本発明に係るペット用おやつのさらに他の実施形態の斜視図である。
【００１７】
図１に示すように、本発明に係るペット用おやつの製造方法は、先ず米を加熱してポップライスとし、このポップライスと、もち米粉と、水を、重量比が５：０．１：３となるように混合して第１混合物を得ると共に、大豆たんぱく質と、鶏胸肉のミンチと、グリセリンを、重量比が３：１００：４となるように混合してミートペーストを得て、該ミートペーストを第１混合物の表面に塗布することにより半製品を製造し、さらに該半製品を乾燥することにより、製品であるペット用おやつを得る。
【００１８】
本発明に係るペット用おやつ及びその製造方法の特徴及び利点は、以下の具体的な実施例によりさらに明らかとなる。
【実施例１】
【００１９】
本発明の実施例１の製造方法は、先ず米を加熱してポップライスとし、このポップライスと、もち米粉と、水を、重量比が５：０．１：３となるように混合して第１混合物（２０）を得ると共に、該第１混合物（２０）を−１５℃の環境下にて３時間冷蔵した後、既定の形状、厚さにスライスし、また、大豆たんぱく質と、鶏胸肉のミンチと、グリセリンを、重量比が３：１００：４となるように混合してミートペースト（１０）を得て、さらに、該ミートペースト（１０）を第１混合物（２０）の表面に塗布することにより半製品を得る。そして、最後に該半製品を８０℃の環境下にて２時間乾燥すると共に、７０℃の環境下にて１２時間乾燥することにより、図２乃至図４に示すような製品のペット用おやつを得る。
【実施例２】
【００２０】
本発明の実施例２の製造方法は、先ず米を加熱してポップライスとし、このポップライスと、もち米粉と、水を、重量比が５：０．１：３となるように混合して第１混合物を得て、該第１混合物を型を用いてプレス成形した後、大豆たんぱく質と、鶏胸肉のミンチと、グリセリンを、重量比が３：１００：４となるように混合してミートペーストを得る。さらに前記ミートペーストを第１混合物の表面に塗布することにより半製品を得て、最後に半製品を８０℃の環境下にて２時間乾燥した後、さらに７０℃の環境下にて１２時間乾燥することにより、製品であるペット用おやつを得る。
【産業上の利用可能性】
【００２１】
本発明は上記の構成を有し、高栄養価である鶏胸肉のミンチ 、ポップライス、もち米粉、大豆たんぱく質及びグリセリンなどからなるものであることから、本発明に係るペット用おやつは、例えば、犬などのペットに与えた場合、歯を強化すると共に、歯を常に清潔にし、あごの発達を促進できるのみならず、栄養価が高いことや消化にやさしいなどの利点も有する。
【図面の簡単な説明】
【００２２】
【図１】本発明に係るペット用おやつの製造方法を示すフローチャートである。
【図２】本発明に係るペット用おやつの実施形態の斜視図である。
【図３】本発明に係るペット用おやつの他の実施形態の斜視図である。
【図４】本発明に係るペット用おやつのさらに他の実施形態の斜視図である。
【符号の説明】
【００２３】
１０  ミートペースト
２０  第１混合物
【図１】
2010088391.tif 000003
【図２】
2010088391.tif 000004
【図３】
2010088391.tif 000005
【図４】
2010088391.tif 000006